(57)【要約】      （修正有）【課題】グレーチングの取付け作業や取外し作業の作業性を向上させるグレーチング着脱具を提供する。【解決手段】グレーチングを側溝に取付ける際に、又は、側溝からグレーチングを取外す際に使用するグレーチング着脱具１において、上下に伸延する中空状のポール４と、ポール４の上端に取付けたハンドル２０と、ポール４の下端に取付けたベースと、ポール４の中空部に昇降可能に収容したロッド２２と、ロッド２２の上端に取付け、ハンドル２０とともに把持可能なレバー２１と、ロッド２２の下端に連動連結され、ベースに開閉可能に取付けた、グレーチングを保持するための一対の保持爪９，１０とを有する。【選択図】図２
0003220636.tif 000002
【実用新案登録請求の範囲】
【請求項１】
グレーチングを側溝に取付ける際に、又は、側溝からグレーチングを取外す際に使用するグレーチング着脱具において、
上下に伸延する中空状のポールと、
前記ポールの上端に取付けたハンドルと、
前記ポールの下端に取付けたベースと、
前記ポールの中空部に昇降可能に収容したロッドと、
前記ロッドの上端に取付け、前記ハンドルとともに把持可能なレバーと、
前記ロッドの下端に連動連結され、前記ベースに開閉可能に取付けた、前記グレーチングを保持するための一対の保持爪と、
を有することを特徴とするグレーチング着脱具。
【請求項２】
前記ロッドと前記ベースとの間に、前記ロッドを降下させる方向へ向けて付勢するスプリングを設けたことを特徴とする請求項１に記載のグレーチング着脱具。
【請求項３】
前記ロッドの降下に連動して前記一対の保持爪が閉じる構造としたことを特徴とする請求項２に記載のグレーチング着脱具。
【考案の詳細な説明】
【技術分野】
【０００１】
本考案は、グレーチングを側溝に取付ける際に、又は、側溝からグレーチングを取外す際に使用するグレーチング着脱具に関するものである。
【背景技術】
【０００２】
従来より、道路の排水や工場での排液などのために、地面や床に側溝が埋設されている。
【０００３】
この側溝には、落下防止や塵等の混入防止などのために、上部開口にグレーチングが取付けられている。
【０００４】
この側溝に取付けられたグレーチングは、側溝の清掃やメンテナンスや交換などのために、側溝の上部開口から取外されることもある。
【０００５】
これらグレーチングの取付け作業や取外し作業は、特許文献１に開示されるような大掛かりな装置を用いて行われることもあるが、一般的には、人手によって手作業で行われている。
【先行技術文献】
【特許文献】
【０００６】
【特許文献１】実開平５−８８６７８号公報
【考案の概要】
【考案が解決しようとする課題】
【０００７】
人手によってグレーチングを側溝に取付ける作業や側溝からグレーチングを取外す作業は、側溝が地面や床に埋設されていることから、作業者が中腰や屈んだ姿勢で行わなければならず、多大な労力を要する作業であった。
【課題を解決するための手段】
【０００８】
そこで、請求項１に係る本考案では、グレーチングを側溝に取付ける際に、又は、側溝からグレーチングを取外す際に使用するグレーチング着脱具において、上下に伸延する中空状のポールと、前記ポールの上端に取付けたハンドルと、前記ポールの下端に取付けたベースと、前記ポールの中空部に昇降可能に収容したロッドと、前記ロッドの上端に取付け、前記ハンドルとともに把持可能なレバーと、前記ロッドの下端に連動連結され、前記ベースに開閉可能に取付けた、前記グレーチングを保持するための一対の保持爪とを有することにした。
【０００９】
また、請求項２に係る本考案では、前記請求項１に係る本考案において、前記ロッドと前記ベースとの間に、前記ロッドを降下させる方向へ向けて付勢するスプリングを設けることにした。
【００１０】
また、請求項３に係る本考案では、前記請求項２に係る本考案において、前記ロッドの降下に連動して前記一対の保持爪が閉じる構造とした。
【考案の効果】
【００１１】
本考案では、グレーチングの取付け作業や取外し作業を行う際に作業者が中腰や屈んだ姿勢をとることなく直立した姿勢で作業を行うことができるようになるので、作業性を向上させることができる。
【図面の簡単な説明】
【００１２】
【図１】グレーチング着脱具の使用状態を示す斜視図。
【図２】グレーチング着脱具を示す斜視図。
【図３】同側面断面図（ａ）、正面断面図（ｂ）。
【図４】同側面断面説明図。
【考案を実施するための形態】
【００１３】
以下に、本考案に係るグレーチング着脱具の具体的な構成について図面を参照しながら説明する。
【００１４】
図１に示すように、グレーチング着脱具１は、道路や床などに埋設された側溝２の上部開口に着脱自在に取付けられたグレーチング３を保持する（持ち上げる）ことができる器具である。このグレーチング着脱具１は、作業者が人手によってグレーチング３を側溝２に取付ける際や、側溝２からグレーチング３を取外す際に使用される。
【００１５】
グレーチング着脱具１は、図２及び図３に示すように、作業者の足元から腰までの長さ程度に上下に伸延する中空円筒状のポール４の下端部に保持部５を形成するとともに、ポール４の上端部に操作部６を形成し、保持部５と操作部６とを連動部７で連動連結している。
【００１６】
保持部５は、ポール４の下端にベース８を取付け、ベース８にグレーチング３を保持するための前後一対の保持爪9,10を左右に間隔を開けて開閉可能に取付けている。
【００１７】
ベース８は、矩形板状の天板11の中央上部にポール４の下端部を取付けるとともに、天板11の左右に側壁12,13を下方へ向けて形成し、左右の側壁12,13の内側に一対の保持爪9,10の上端部を左右に伸延する回動軸14,15を介して前後方向に向けて回動自在にそれぞれ取付けている。
【００１８】
保持爪9,10は、下端部にそれぞれが対向する側（内側）へ向けて爪体16,17を突出させて形成している。一対の保持爪9,10は、閉じた状態でグレーチング３を保持する。ここでは、間隔を開けて隣設されたベアリングバー18を連結するための左右一対のクロスバー19の下端を一対の保持爪9,10の爪体16,17で保持するようにしているが、２本のベアリングバー18を保持する構成としてもよい。
【００１９】
操作部６は、ポール４の上端に環状のハンドル20を取付けるとともに、ハンドル20の内側にハンドル20よりも一回り小さい環状のレバー21を収容して、手のひらでハンドル20を握りながら指をレバー21に引っ掛けることで、ハンドル20とレバー21とを一緒に把持（操作）することができるようにしている。
【００２０】
連動部７は、ポール４の中空部にポール４よりも長く上下に伸延するロッド22を昇降可能に収容している。
【００２１】
ロッド22は、上端部がハンドル20に形成した貫通孔23を貫通するとともに、下端部がベース８に形成した貫通孔24を貫通している。このロッド22の上端には、レバー21の下端が取付けられている。また、ロッド22の下端には、軸支持体25が取付けられている。
【００２２】
また、連動部７は、軸支持体25に左右に伸延する支持軸26を回動自在に取付けるとともに、支持軸26の前端及び後端に左右一対の連動体27,28の基端部を上下方向へ向けて回動自在にそれぞれ取付け、連動体27,28の先端部に保持爪9,10の中途部を左右に伸延する回動軸29,30を介して上下方向に向けて回動自在に取付けている。
【００２３】
さらに、連動部７は、ベース８の天板11の下面と軸支持体25の上面との間にロッド22に貫通させたスプリング31を設け、スプリング31のバネ力によってベース８に対して軸支持体25を下方へ向けて付勢している。
【００２４】
グレーチング着脱具１は、以上に説明したように構成しており、図３に示すように、通常状態においては、スプリング31の付勢力によってベース８に対して軸支持体25が下方に付勢され、一対の保持爪9,10が開いた状態となっている。
【００２５】
そして、操作状態においては、すなわち、スプリング31の付勢力に抗してハンドル20に対してレバー21を上方へ引き上げた状態（ハンドル20とともにレバー21を把持した状態）では、軸支持体25が上方に移動して、図４(a)に示すように、一対の保持爪9,10が閉じた状態となり、保持爪9,10でグレーチング３を保持することができる。
【００２６】
このように、グレーチング着脱具１は、通常状態では一対の保持爪9,10が開いた状態となっており、操作状態では一対の保持爪9,10が閉じた状態となっている。これにより、ハンドル20とともにレバー21を把持するといった操作を行うことで、一対の保持爪9,10でグレーチング３を保持することができる。
【００２７】
本考案に係るグレーチング着脱具は、上記構成のグレーチング着脱具１に限られず、図４（ｂ）に示すグレーチング着脱具1'のように、グレーチング着脱具１とは反対に、操作状態では一対の保持爪9,10が開いた状態（図４（ｂ）左側参照。）とし、通常状態では一対の保持爪9,10が閉じた状態（図４（ｂ）右側）となるように構成してもよい。
【００２８】
このグレーチング着脱具1’では、ベース８の側壁13'を回動軸29,30よりも下方まで伸延させ、側壁13'の内側において回動軸29,30よりも下方位置で保持爪9,10を回動軸14,15を介して前後方向へ向けて回動自在に取付けている。
【００２９】
なお、図４（ａ）に示すグレーチング着脱具１において、一対の保持爪9,10の下端部にそれぞれが対向する側（内側）へ向けて爪体16,17を突出させて形成して、グレーチング３の一対のクロスバー19の外方下側から爪体16,17で挟むようにしているが、一対の保持爪9,10の下端部にそれぞれが対向する側とは反対側（外側）へ向けて爪体16,17を突出させて形成して、グレーチング３の一対のクロスバー19の内方下側から爪体16,17で挟むようにしてもよい。これによっても、操作状態では一対の保持爪9,10が開いた状態となり、通常状態では一対の保持爪9,10が閉じた状態となる。
【００３０】
以上に説明したように、上記グレーチング着脱具1,1'は、上下に伸延する中空状のポール４と、ポール４の上端に取付けたハンドル20と、ポール４の下端に取付けたベース８と、ポール４の中空部に昇降可能に収容したロッド22と、ロッド22の上端に取付け、ハンドル20とともに把持可能なレバー21と、ロッド22の下端に連動連結され、ベース８に開閉可能に取付けた、グレーチング３を保持するための一対の保持爪9,10とを有する構成となっている。
【００３１】
そのため、上記構成のグレーチング着脱具1,1'では、グレーチング３の取付け作業や取外し作業を行う際に作業者が中腰や屈んだ姿勢をとることなく直立した姿勢で作業を行うことができるようになるので、作業性を向上させることができる。
【００３２】
また、上記グレーチング着脱具1,1'は、ロッド22とベース８との間に、ロッド22を降下させる方向へ向けて付勢するスプリング31を設けた構成となっている。
【００３３】
そのため、上記グレーチング着脱具1,1'では、スプリング31の付勢力でロッド22を介して保持爪9,10の姿勢（開いた状態又は閉じた状態）を保持することができるので、より一層作業性を向上させることができる。
【００３４】
さらに、上記グレーチング着脱具1'では、ロッド22の降下に連動して一対の保持爪9,10が閉じる構成となっている。
【００３５】
そのため、上記構成のグレーチング着脱具1'では、ハンドル20とともにレバー21を把持する操作状態にしないでも通常状態で一対の保持爪9,10でグレーチング３を保持することができ、これによってもより一層作業性を向上させることができる。
【符号の説明】
【００３６】
1,1'  グレーチング着脱具              ２  側溝
３  グレーチング                      ４  ポール
５  保持部                            ６  操作部
７  連動部                            ８  ベース
9,10  保持爪                          11  天板
12,13,13'  側壁                       14,15  回動軸
16,17  爪体                           18  ベアリングバー
19  クロスバー                        20  ハンドル
21  レバー                            22  ロッド
23,24  貫通孔                         25  軸支持体
26  支持軸                            27,28  連動体
29,30  回動軸                         31  スプリング
【図１】
0003220636.tif 000003
【図２】
0003220636.tif 000004
【図３】
0003220636.tif 000005
【図４】
0003220636.tif 000006
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
グレーチングを側溝に取付ける際に、又は、側溝からグレーチングを取外す際に使用するグレーチング着脱具において、
上下に伸延する中空状のポールと、
前記ポールの上端に取付けたハンドルと、
前記ポールの下端に取付けたベースと、
前記ポールの中空部に昇降可能に収容したロッドと、
前記ロッドの上端に取付け、前記ハンドルとともに把持可能なレバーと、
前記ロッドの下端に連動連結され、前記ベースに開閉可能に取付けた、前記グレーチングを保持するための一対の保持爪と、
を有することを特徴とするグレーチング着脱具。
【請求項２】
前記ロッドを降下させる方向へ向けて付勢するスプリングを有することを特徴とする請求項１に記載のグレーチング着脱具。
【請求項３】
前記ロッドの降下に連動して前記一対の保持爪が閉じる構造としたことを特徴とする請求項２に記載のグレーチング着脱具。
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
グレーチングを側溝に取付ける際に、又は、側溝からグレーチングを取外す際に使用するグレーチング着脱具において、
上下に伸延する中空状のポールと、
前記ポールの上端に取付けたハンドルと、
前記ポールの下端に取付けたベースと、
前記ポールの中空部に昇降可能に収容したロッドと、
前記ロッドの上端に取付け、前記ハンドルとともに把持可能なレバーと、
前記ロッドの下端に連動連結され、前記ベースに開閉可能に取付けた、前記グレーチングを保持するための一対の保持爪と、
を有することを特徴とするグレーチング着脱具。
【請求項２】
前記ロッドの下端に軸支持体を取付け、前記軸支持体に支持軸を回動自在に取付け、前記支持軸に前記一対の保持爪の中途部を連動体を介して取付けて、前記ベースに開閉可能に取付けた前記一対の保持爪を前記ロッドの下端に連動連結し、前記ベースと前記軸支持体との間に前記ロッドを降下させる方向へ向けて付勢するスプリングを設けたことを特徴とする請求項１に記載のグレーチング着脱具。
【請求項３】
前記ロッドの降下に連動して前記一対の保持爪が閉じる構造としたことを特徴とする請求項２に記載のグレーチング着脱具。